(57)【要約】【課題】抜き取り治具を用意することなく、必要時に簡単に端子を抜き取ることのできるコネクタを提供する。【解決手段】互いに積層して合体される２つのコネクタハウジング２０、１０を有するコネクタにおいて、第１コネクタハウジング２０内のランス２２の近傍に、第２コネクタハウジング１０に突設されたランス解除バー１７が移動自在に挿入されている。このランス解除バー１７には、２つのコネクタハウジングを本係止位置から仮係止位置を超えてランス解除位置まで引き離した際に、ランス２２と干渉することで、その引き離し動作に伴ってランス２２を端子７０との係合を解除する位置まで変形させる解除操作突起１８が設けられている。【選択図】図３
2010170722.tif 000002
【特許請求の範囲】
【請求項１】
互いに積層して合体される第１コネクタハウジングと第２コネクタハウジングとを有し、前記第１コネクタハウジングの端子収容室内に、該端子収容室の後端から挿入された第１端子を抜け止め固定する可撓性の第１ランスが設けられたコネクタにおいて、
前記第１コネクタハウジングと第２コネクタハウジングとの間に、前記第１コネクタハウジングの端子収容室への第１端子の挿入を可能にする仮係止位置に前記第１コネクタハウジングと第２コネクタハウジングとを保持する仮係止手段と、前記仮係止位置から前記第１コネクタハウジングと第２コネクタハウジングとを更に押し込んだ本係止位置に保持する本係止手段と、前記第１コネクタハウジングと第２コネクタハウジングとを前記仮係止位置より更に引き離したランス解除用位置に保持するランス解除用係止手段と、が設けられ、
前記第１コネクタハウジング内の第１ランスの近傍に、前記第２コネクタハウジングに突設されたランス解除バーが前記積層方向に沿って移動自在に挿入され、該ランス解除バーには、前記第１コネクタハウジングと第２コネクタハウジングとを前記本係止位置から前記仮係止位置を超えて前記ランス解除位置まで引き離した際に、前記第１ランスと干渉することで、その引き離し動作に伴って前記第１ランスを前記第１端子との係合を解除する位置まで変形させる解除操作部が設けられていることを特徴とするコネクタ。
【請求項２】
請求項１に記載のコネクタであって、
前記第２コネクタハウジングに、前記第１コネクタハウジングと第２コネクタハウジングを前記本係止位置に保持したとき、前記第１ランスによって抜け止めされている前記第１端子を更に二重に係止し、且つ、前記第１コネクタハウジングと第２コネクタハウジングを前記仮係止位置に保持したとき、前記第１端子に対する二重の係止を解除する第１二重係止部が設けられていることを特徴とするコネクタ。
【請求項３】
請求項１または２に記載のコネクタであって、
前記第２コネクタハウジングの端子収容室内に、該端子収容室の後端から挿入された第２端子を抜け止め固定する可撓性の第２ランスが設けられ、前記第１コネクタハウジングに、前記第１コネクタハウジングと第２コネクタハウジングを前記本係止位置に保持したとき、前記第２ランスによって抜け止めされている前記第２端子を更に二重に係止し、且つ、前記第１コネクタハウジングと第２コネクタハウジングを前記仮係止位置に保持したとき、前記第２端子に対する二重の係止を解除する第２二重係止部が設けられていることを特徴とするコネクタ。
【請求項４】
請求項１〜３のいずれか１項に記載のコネクタであって、
前記第１コネクタハウジングに、該第１コネクタハウジングと第２コネクタハウジングの積層方向に多段に端子収容室が設けられており、前記ランス解除バーに、各段の端子収容室に設けられた第１ランスに対応した複数の前記解除操作部が設けられていることを特徴とするコネクタ。
【請求項５】
請求項１〜４のいずれか１項に記載のコネクタであって、
前記第１コネクタハウジングに複数の端子収容室が横一列に配列され、前記ランス解除バーが、横一列に配列された端子収容室に対応する本数だけ設けられていることを特徴とするコネクタ。
【発明の詳細な説明】
【技術分野】
【０００１】
本発明は、端子の差し間違いなどによる端子の抜き取り作業を簡単にできるようにしたコネクタに関するものである。
【背景技術】
【０００２】
図４は、例えば特許文献１に記載の従来のコネクタの断面図である。
【０００３】
図４に示すように、コネクタは一般に、端子収容室１０２を有するコネクタハウジング１０１と、端子収容室１０２内に挿入される端子１１０とから構成されている。各端子収容室１０２の内部には可撓性のランス１０５が設けられており、端子１１０を後方から端子収容室１０２内に挿入すると、端子１１０はランス１０５を押し上げつつ所定位置まで達し、所定位置まで達した段階でランス１０５が元の位置に復元することにより、端子１１０はランス１０５によって後方への抜けを阻止される。
【０００４】
ところで、端子の差し間違いなどが発生した場合には、端子１１０を抜き取る必要が生じる。その場合は、コネクタハウジング１０１の前端壁に設けた孔などから抜き取り治具１２０を挿入して、ランス１０５を強制的に端子１１０との係合を解除し得る位置まで変形させ、その状態で端子１１０を後方に抜き取るようにしているのが一般的である。
【先行技術文献】
【特許文献】
【０００５】
【特許文献１】特開２００２−２５６７６号公報
【発明の概要】
【発明が解決しようとする課題】
【０００６】
しかし、抜き取り治具を使う方法は、端子のサイズやコネクタ毎に専用の抜き治具が必要であり費用が嵩む上、作業に慣れが必要であり作業性が悪いという問題があった。
【０００７】
本発明は、上記事情を考慮し、抜き取り治具を用意することなく、必要時に簡単に端子を抜き取ることのできるコネクタを提供することを目的とする。
【課題を解決するための手段】
【０００８】
請求項１の発明は、互いに積層して合体される第１コネクタハウジングと第２コネクタハウジングとを有し、前記第１コネクタハウジングの端子収容室内に、該端子収容室の後端から挿入された第１端子を抜け止め固定する可撓性の第１ランスが設けられたコネクタにおいて、前記第１コネクタハウジングと第２コネクタハウジングとの間に、前記第１コネクタハウジングの端子収容室への第１端子の挿入を可能にする仮係止位置に前記第１コネクタハウジングと第２コネクタハウジングとを保持する仮係止手段と、前記仮係止位置から前記第１コネクタハウジングと第２コネクタハウジングとを更に押し込んだ本係止位置に保持する本係止手段と、前記第１コネクタハウジングと第２コネクタハウジングとを前記仮係止位置より更に引き離したランス解除用位置に保持するランス解除用係止手段と、が設けられ、前記第１コネクタハウジング内の第１ランスの近傍に、前記第２コネクタハウジングに突設されたランス解除バーが前記積層方向に沿って移動自在に挿入され、該ランス解除バーには、前記第１コネクタハウジングと第２コネクタハウジングとを前記本係止位置から前記仮係止位置を超えて前記ランス解除位置まで引き離した際に、前記第１ランスと干渉することで、その引き離し動作に伴って前記第１ランスを前記第１端子との係合を解除する位置まで変形させる解除操作部が設けられていることを特徴とする。
【０００９】
請求項２の発明は、請求項１に記載のコネクタであって、前記第２コネクタハウジングに、前記第１コネクタハウジングと第２コネクタハウジングを前記本係止位置に保持したとき、前記第１ランスによって抜け止めされている前記第１端子を更に二重に係止し、且つ、前記第１コネクタハウジングと第２コネクタハウジングを前記仮係止位置に保持したとき、前記第１端子に対する二重の係止を解除する第１二重係止部が設けられていることを特徴とする。
【００１０】
請求項３の発明は、請求項１または２に記載のコネクタであって、前記第２コネクタハウジングの端子収容室内に、該端子収容室の後端から挿入された第２端子を抜け止め固定する可撓性の第２ランスが設けられ、前記第１コネクタハウジングに、前記第１コネクタハウジングと第２コネクタハウジングを前記本係止位置に保持したとき、前記第２ランスによって抜け止めされている前記第２端子を更に二重に係止し、且つ、前記第１コネクタハウジングと第２コネクタハウジングを前記仮係止位置に保持したとき、前記第２端子に対する二重の係止を解除する第２二重係止部が設けられていることを特徴とする。
【００１１】
請求項４の発明は、請求項１〜３のいずれか１項に記載のコネクタであって、前記第１コネクタハウジングに、該第１コネクタハウジングと第２コネクタハウジングの積層方向に多段に端子収容室が設けられており、前記ランス解除バーに、各段の端子収容室に設けられた第１ランスに対応した複数の前記解除操作部が設けられていることを特徴とする。
【００１２】
請求項５の発明は、請求項１〜４のいずれか１項に記載のコネクタであって、前記第１コネクタハウジングに複数の端子収容室が横一列に配列され、前記ランス解除バーが、横一列に配列された端子収容室に対応する本数だけ設けられていることを特徴とする。
【発明の効果】
【００１３】
請求項１の発明によれば、第２コネクタハウジングにランス解除バーを設け、第１コネクタハウジングと第２コネクタハウジングをランス解除用位置まで引き離すことにより、ランス解除バーにより第１コネクタハウジング内の第１ランスを解除操作できるようにしたので、端子の差し間違いなどで、いったん挿入した端子を抜く必要が生じた場合にも、簡単に端子の抜き取り作業を実施することができる。特にコネクタハウジングに専用のランス解除バーを最初から装備しているので、別に端子のサイズやコネクタ毎に抜き取り治具を用意しておく必要がなくなり、コストを安くすませることができると共に、作業もやりやすくなる。
【００１４】
請求項２の発明によれば、第１、第２コネクタハウジングを仮係止状態から本係止状態にした際に、第１二重係止部が第１端子を第１ランスと共に二重係止するので、より確実に第１コネクタハウジング内の第１端子の抜けを防ぐことができる。
【００１５】
請求項３の発明によれば、第１、第２コネクタハウジングを仮係止状態から本係止状態にした際に、第２二重係止部が第２端子を第２ランスと共に二重係止するので、より確実に第２コネクタハウジング内の第２端子の抜けを防ぐことができる。
【００１６】
請求項４の発明によれば、一度の操作により、多段に設けられた端子収容室内のランスを一括で解除操作することができる。
【００１７】
請求項５の発明によれば、一度の操作により、横一列に設けられた複数の端子収容室内のランスを一括で解除操作することができる。
【図面の簡単な説明】
【００１８】
【図１】本発明の実施形態のコネクタを構成する第１コネクタハウジングと第２コネクタハウジングとが仮係止位置あるときの状態を示す概略構成図で、（ａ）は側断面図、（ｂ）は（ａ）のＩｂ−Ｉｂ矢視の部分断面図である。
【図２】前記第１コネクタハウジングと第２コネクタハウジングとが本係止位置にあるときの状態を示す概略構成図で、（ａ）は側断面図、（ｂ）は（ａ）のＩＩｂ−ＩＩｂ矢視の部分断面図である。
【図３】前記第１コネクタハウジングと第２コネクタハウジングとがランス解除用位置にあるときの状態を示す概略構成図で、（ａ）は側断面図、（ｂ）は（ａ）のＩＩＩｂ−ＩＩＩｂ矢視の部分断面図である。
【図４】従来のコネクタの断面図である。
【発明を実施するための形態】
【００１９】
以下、本発明の実施形態を図面を参照して説明する。
【００２０】
図１は実施形態のコネクタを構成する第１コネクタハウジングと第２コネクタハウジングとが仮係止位置あるときの状態を示す概略構成図で、図１（ａ）は側断面図、図１（ｂ）は図１（ａ）のＩｂ−Ｉｂ矢視の部分断面図、図２は第１コネクタハウジングと第２コネクタハウジングとが本係止位置にあるときの状態を示す概略構成図で、図２（ａ）は側断面図、図２（ｂ）は図２（ａ）のＩＩｂ−ＩＩｂ矢視の部分断面図、図３は第１コネクタハウジングと第２コネクタハウジングとがランス解除用位置にあるときの状態を示す概略構成図で、図３（ａ）は側断面図、図３（ｂ）は図３（ａ）のＩＩＩｂ−ＩＩＩｂ矢視の部分断面図である。
【００２１】
図１〜図３に示すように、実施形態のコネクタは、第１コネクタハウジング２０と、第１コネクタハウジング２０の上側に積層した状態で合体される第２コネクタハウジング１０と、第１コネクタハウジング２０の内部に収容された第１端子７０と、第２コネクタハウジング１０の内部に収容された第２端子６０とから構成されている。
【００２２】
第１コネクタハウジング２０および第２コネクタハウジング１０には、前後方向（ここではコネクタ嵌合方向を前後方向という）に沿ってそれぞれ端子収容室２１、１１が設けられ、各端子収容室２１には、後方から挿入された第１、第２端子７０、６０を抜け止め固定する可撓性の第１、第２ランス２２、１２が設けられている。第１コネクタハウジング２０の端子収容室２１は、横一列に複数配列されると共に、第１、第２コネクタハウジング２０、１０の積層方向に多段（図示例では２段）に設けられている。
【００２３】
また、第１コネクタハウジング２０と第２コネクタハウジング１０の前後両側部には、第１コネクタハウジング２０と第２コネクタハウジング１０をロックするためのロックアーム１６とロック突起２７ａ、２７ｂ、２７ｃとが設けられている。ロックアーム１６の先端にはロック爪１６ａが設けられており、このロック爪１６ａが、いずれかのロック突起２７ａ、２７ｂ、２７ｃと係合することにより、第１コネクタハウジング２０と第２コネクタハウジング１０を、完全に合体させた本係止位置（図２の位置）と、途中まで合体させた仮係止位置（図１の位置）と、仮係止位置より更に第１コネクタハウジング２０と第２コネクタハウジング１０を引き離したランス解除用位置（図３の位置）とに選択的に保持できるようになっている。
【００２４】
この場合、図２に示すように、ロック爪１６ａを第１ロック突起２７ａに係合させることにより、第１コネクタハウジング２０と第２コネクタハウジング１０を本係止位置に保持することができる。また、図１に示すように、ロック爪１６ａを第１ロック突起２７ａと第２ロック突起２７ｂの間に係合させることにより、第１コネクタハウジング２０と第２コネクタハウジング１０を仮係止位置に保持することができる。また、図３に示すように、ロック爪１６ａを第２ロック突起２７ｂと第３ロック突起２７ｃの間に係合させることにより、第１コネクタハウジング２０と第２コネクタハウジング１０をランス解除用位置に保持することができる。
【００２５】
従って、ロック爪１６ａとロック突起２７ａ〜２７ｃの組み合わせにより、仮係止手段と本係止手段とランス解除用係止手段とが構成されている。
【００２６】
また、第２コネクタハウジング１０には、第１コネクタハウジング２０と第２コネクタハウジング２０を本係止位置に保持したときに、第１ランス２１によって抜け止めされている第１端子７０を更に二重に係止し、且つ、第１コネクタハウジング２０と第２コネクタハウジング２０を仮係止位置に保持したときに、第１端子７０に対する二重の係止を解除する第１二重係止部１５が設けられている。この第１二重係止部１５は、第２コネクタハウジング２０の下側に突出して設けられており、第１コネクタハウジング２０に形成されたスライドスペース２５にスライド自在に挿入されている。
【００２７】
同様に、第１コネクタハウジング２０には、第１コネクタハウジング２０と第２コネクタハウジング１０を本係止位置に保持したときに、第２ランス１２によって抜け止めされている第２端子６０を更に二重に係止し、且つ、第１コネクタハウジング２０と第２コネクタハウジング１０を仮係止位置に保持したときに、第２端子６０に対する二重の係止を解除する第２二重係止部２４が設けられている。この第２二重係止部２４は、第１コネクタハウジング２０の上側に突出して設けられており、第２コネクタハウジング１０に形成されたスライドスペース１４にスライド自在に挿入されている。
【００２８】
そして、第１コネクタハウジング２０と第２コネクタハウジング１０を仮係止位置に保ったときに、第１、第２二重係止部１５、２４に邪魔されずに、各コネクタハウジング２０、１０の端子収容室１１、２１に、後方から第１、第２端子７０、６０をそれぞれ挿入できるようになっている。
【００２９】
また、第１コネクタハウジング２０内の第１ランス２２の側部には、第１コネクタハウジング２０と第２コネクタハウジング１０の積層方向に沿ってスライドスペース２６が設けられており、このスライドスペース２６に、第２コネクタハウジング１０の下側に突設されたランス解除バー１７が積層方向に沿って移動自在に挿入されている。
【００３０】
ランス解除バー１７には、第１コネクタハウジング２０と第２コネクタハウジング１０とを本係止位置（図２の位置）から仮係止位置（図１の位置）を超えてランス解除位置（図３の位置）まで引き離した際に、図３に示すように、第１ランス２２の側部突起２２ａと干渉することで、その引き離し動作に伴って第１ランス２２を、第１端子７０との係合を解除する位置まで変形させる解除操作突起（解除操作部）１８が設けられている。この場合、ランス解除バー１７は、横一列に配列された端子収容室２１に対応する本数だけ設けられ、各ランス解除バー１７に、解除操作突起１８は各段の端子収容室２１に設けられた第１ランス２２に対応した数だけ設けられている。
【００３１】
なお、各解除操作突起１８の先端面には、ランス解除バー１７をスライドスペース２６に挿入する際に、第１ランス２２の側部突起２２ａに当たることで、ランス解除バー１７自身を第１ランス２２から離れる方向にを撓ませ、それにより、解除操作突起１８を第１ランス２２を乗り越えた位置まで楽に挿入できるようにするための傾斜部１８ａが設けられている。
【００３２】
次に組立手順について述べる。
【００３３】
このコネクタを組み立てる場合は、まず、図１に示すように、第１コネクタハウジング２０の上側に第２コネクタハウジング１０を載せて、第２コネクタハウジング１０側のロックアーム１６のロック爪１６ａを、第１コネクタハウジング２０側の第１ロック突起２７ａと第２ロック突起２７ｂの間に係合させることにより、第１コネクタハウジング２０と第２コネクタハウジング１０を仮係止位置に保つ。この段階で、ランス解除バー１７の各解除操作突起１８は、第１ランス２２を乗り越えた位置まで到達している。
【００３４】
そして、その状態で、第１コネクタハウジング２０の端子収容室２１に後方から第１端子７０を挿入すると共に、第２コネクタハウジング１０の端子収容室１１に後方から第２端子６０を挿入する。このとき、第１、第２二重係止部１５、２４は、端子７０、６０の挿入を邪魔しない位置にある。
【００３５】
端子７０、６０を挿入すると、端子７０、６０に押されてランス２２、１２が撓み変形し、端子７０、６０の通過を許す。更に端子７０、６０を挿入すると、端子７０、６０が端子収容室１１、２１の前端に到達すると共に、ランス２２、１２が撓み位置から復元して、ランス２２、１２の先端が端子７０、６０に係合し、これにより、端子７０、６０が後方へ抜け止めされる（一次係止）。
【００３６】
端子７０、６０を挿入したら、第１コネクタハウジング２０に対して第２コネクタハウジング１０を押し込むことにより、第２コネクタハウジング１０側のロックアーム１６のロック爪１６ａを、第１コネクタハウジング２０側の第１ロック突起２７ａに係合させる。そうすると、第１コネクタハウジング２０と第２コネクタハウジング１０とが本係止される。
【００３７】
また、この状態において、第２コネクタハウジング１０側に設けた第１二重係止部１５が、第１端子７０の凹部などに進入して、第１端子７０の二重係止を行い、第２コネクタハウジング２０側に設けた第２二重係止部２４が、第２端子６０の凹部などに進入して、第２端子６０の二重係止を行う。これにより、コネクタが完成する。
【００３８】
また、このように本係止した後で第１端子７０を外す必要が生じた場合は、図３に示すように、第１コネクタハウジング２０に対して第２コネクタハウジング１０を仮係止位置を超えてランス解除用位置まで戻す。即ち、第１コネクタハウジング２０に対して第２コネクタハウジング１０を仮係止位置より更に上に持ち上げ、ロックアーム１６のロック爪１６ａを第２ロック突起２７ｂと第３ロック突起２７ｃの間に係合させる。
【００３９】
そうすると、ランス解除バー１７の上側に持ち上がる動きにより、解除操作突起１８が第１ランス２２を持ち上げるので、各第１ランス２２の第１端子７０に対する係合を解除することができる。従って、この状態で第１端子７０を自由に後方に抜くことができる。
【００４０】
このように、第１端子７０の差し間違いなどで、いったん挿入した端子７０を抜く必要が生じた場合にも、簡単に端子７０の抜き取り作業を実施することができる。特に第２コネクタハウジング１０に専用のランス解除バー１７を最初から装備しているので、別に端子のサイズやコネクタ毎に抜き取り治具を用意しておく必要がなくなり、コストを安くすませることができると共に、作業もやりやすくなる。
【００４１】
また、解除操作突起１８は、各段の端子収容室２１の第１ランス２２に対応させて設けているので、一度の操作により、多段に設けられた端子収容室２１内の第１ランス２２を一括で解除操作することができる。
【００４２】
また、ランス解除バー１７は、横一列に配列された各端子収容室２１毎に設けられているので、一度の操作により、横一列に設けられた複数の端子収容室２１内の第１ランス２２を一括で解除操作することができる。
【００４３】
また、第１、第２コネクタハウジング２０、１０を仮係止状態から本係止状態にした際に、第１、第２二重係止部１５、２４が第１端子７０および第２端子６０をランス２２、１２と共に二重係止するので、より確実に各コネクタハウジング２０、１０内の端子７０、６０の抜けを防ぐことができる。
【符号の説明】
【００４４】
１０  第２コネクタハウジング
１１  端子収容室
１２  第２ランス
１５  第１二重係止部
１６ａ  ロック爪（本係止手段、仮係止手段、ランス解除用係止手段）
１７  ランス解除バー
２０  第１コネクタハウジング
２１  端子収容室
２２  第１ランス
２４  第２二重係止部
２７ａ  第１ロック突起（本係止手段、仮係止手段）
２７ｂ  第２ロック突起（仮係止手段、ランス解除用係止手段）
２７ｃ  第３ロック突起（ランス解除用係止手段）
６０  第２端子
７０  第１端子
【図１】
2010170722.tif 000003
【図２】
2010170722.tif 000004
【図３】
2010170722.tif 000005
【図４】
2010170722.tif 000006